(57)【要約】【課題】オペレーション装置で被監視装置の装置情報を定常的に、且つ欠落なく取得する。【解決手段】装置情報収集部１６は、被監視装置１０の被監視部１１〜１３から装置情報を収集し、ヘルスチェック送信部１６に出力する。ヘルスチェック送信部１６は、オペレーション装置２０から送られたヘルスチェック信号に装置情報を分割して付加し、通信回線３２を介してオペレーション装置２０へ送信する。オペレーション装置２０のヘルスチェック受信部２２は、このヘルスチェック信号を受信する。装置情報抽出部２３は、ヘルスチェック信号から付加された装置情報を抽出する。情報処理部２４は、装置情報をまとめて再構成し、表示部２５に表示する。【選択図】  図１
2004208235.tif 000002
【特許請求の範囲】
【請求項１】
監視装置、および通信回線を介して前記監視装置と接続された被監視装置を備えた遠隔監視制御システムであって、
前記被監視装置は、
前記被監視装置の装置情報を収集する収集手段と、
前記監視装置から送信される第１情報を受信する受信手段と、
前記第１情報および前記装置情報を有する第２情報を前記監視装置に送信する送信手段と、を有し、
前記監視装置は、
前記第１情報を送信する送信手段と、
前記第２情報を受信する受信手段と、
前記第２情報から前記装置情報を抽出する抽出手段と、を有することを特徴とする遠隔監視制御システム。
【請求項２】
前記監視装置の前記送信手段は、所定間隔毎に前記第１情報を送信することを特徴とする請求項１記載の遠隔監視制御システム。
【請求項３】
前記被監視装置の前記送信手段は、前記第１情報を受信する毎に前記第２情報を前記監視装置に送信することを特徴とする請求項１又は２記載の遠隔監視制御システム。
【請求項４】
前記被監視装置の前記収集手段は、前記被監視装置から収集したオリジナル装置情報を複数に分割して前記装置情報とし、
前記監視装置は、前記装置情報を元に前記オリジナル装置情報を復元する情報処理手段を有することを特徴とする請求項３記載の遠隔監視制御システム。
【請求項５】
前記被監視手段の前記収集手段は、前記監視装置からの指示に従い、前記装置情報を作成することを特徴とする請求項１記載の遠隔監視制御システム。
【請求項６】
前記監視装置の前記受信手段が、前記第２情報を正常に受信できなかった場合、前記監視装置は、前記被監視装置に前記第２情報の再送要求を送信することを特徴とする請求項１乃至５の何れか記載の遠隔監視制御システム。
【請求項７】
前記監視装置の前記受信手段が、前記第２情報を正常に受信できなかった場合、前記監視装置の前記送信手段は、前記第２情報の再送要求および前記第１情報を有する第３情報を前記被監視装置に送信することを特徴とする請求項１乃至５の何れか記載の遠隔監視制御システム。
【請求項８】
前記被監視装置の前記送信手段は、前記第２情報を断続的に送信し、
前記監視装置の前記受信手段が、前記第２情報を正常に受信できなかった場合、前記被監視装置の前記送信手段は、断続的に送信される前記第２情報の送信タイムラグ間に、前記正常に受信できなかった前記第２情報を前記監視装置に送信することを特徴とする請求項１乃至５の何れか記載の遠隔監視制御システム。
【請求項９】
前記監視装置の前記送信手段は、第１の送信路または第２の送信路を介して前記第１情報を前記被監視装置に送信し、前記被監視装置の前記送信手段は、第３の送信路または第４の送信路を介して前記第２情報を前記監視装置に送信することを特徴とする請求項１乃至８の何れか記載の遠隔監視制御システム。
【請求項１０】
前記被監視装置の前記受信手段が、前記第１の送信路を介して前記第１情報を受信できなかった場合、前記監視装置の前記送信手段は、前記第２の送信路を介して前記第１情報を前記被監視装置に再送することを特徴とする請求項９記載の遠隔監視制御システム。
【請求項１１】
前記監視装置の前記受信手段が、前記第３の送信路を介して前記被監視手段から前記第２情報を受信できなかった場合、前記被監視装置の前記送信手段は、前記第４の送信路を介して前記第２情報を前記監視装置に再送することを特徴とする請求項９記載の遠隔監視制御システム。
【請求項１２】
前記監視装置の前記送信手段は、前記第１の送信路を介して前記第１情報を前記被監視装置に送信し、前記第２の送信路を介して前記第１情報と同一の情報を前記被監視装置に送信することを特徴とする請求項９記載の遠隔監視制御システム。
【請求項１３】
前記被監視装置の前記送信手段は、前記第３の送信路を介して前記第２情報を前記監視装置に送信し、前記第４の送信路を介して前記第２情報と同一の情報を前記監視装置に送信することを特徴とする請求項９記載の遠隔監視制御システム。
【請求項１４】
前記被監視装置の前記送信手段は、前記第１の送信路および第２の送信路のうち前記監視装置により指示された送信路を介して前記第２情報を送信することを特徴とする請求項９記載の遠隔監視制御システム。
【請求項１５】
前記装置情報は、複数の装置情報を含み、
前記被監視装置の前記送信手段は、前記監視装置から指示された前記装置情報のみを前記監視装置へ送信することを特徴とする請求項９又は１４記載の遠隔監視制御システム。
【請求項１６】
通信回線を介して監視装置に接続され、前記監視装置により監視される被監視装置であって、
装置情報を収集する収集手段と、
監視装置から第１情報を受信する受信手段と、
前記第１情報と前記装置情報を有する第２情報を前記監視装置に送信する送信手段と、を有することを特徴とする被監視装置。
【請求項１７】
前記受信手段は、複数の前記第１情報を受信し、前記送信手段は、前記第１情報を受信する毎に第２情報を送信することを特徴とする請求項１６に記載の被監視装置。
【請求項１８】
通信回線を介して被監視装置に接続され、前記監視装置を監視する監視装置であって、
前記被監視装置に第１情報を送信する送信手段と、
前記第１情報および前記被監視装置の装置情報を有する第２情報を前記被監視装置から受信する受信手段と、
前記第２情報から前記装置情報を抽出する抽出手段と、を有することを特徴とする監視装置。
【請求項１９】
前記装置情報から有意のデータを作成する情報処理手段をさらに有することを特徴とする請求項１８記載の監視装置。
【請求項２０】
前記送信手段は、複数の前記第１情報を送信し、前記受信手段は、前記送信手段が前記第１情報を送信する毎に前記第２情報を受信することを特徴とする請求項１８記載の監視装置。
【請求項２１】
監視装置、および通信回線を介して前記監視装置と接続された被監視装置を備えた遠隔監視制御システムにおける装置情報のデータ収集方法であって、
前記監視装置から前記被監視装置に第１情報を送信し、
前記第１情報および前記被監視装置の装置情報を有する第２情報を前記監視装置から前記被監視装置に送信し、
前記監視装置により前記第２情報を受信し、
受信した前記第２情報から前記装置情報を抽出することを特徴とする装置情報のデータ収集方法。
【発明の詳細な説明】
【０００１】
【発明の属する技術分野】
本発明は、無線通信システム等において、基地局等の被監視装置の動作を通信回線を介してオペレーション装置で集中管理する遠隔監視制御システム、該システムで用いられる被監視装置及び監視装置、並びにデータ収集方法に関する。
【０００２】
【従来の技術】
携帯電話等の無線通信システムにおいては、１つのオペレーション装置（ＯＰＥ）に複数の無線基地局装置や無線制御局装置等の被監視装置を通信回線を介して接続し、管理センタで集中監視制御を行っている。被監視装置は、それぞれ自装置の運用状況、障害情報、各種トラヒック情報などの装置情報を常時モニタしている。オペレーション装置は、この装置情報を被監視装置から収集することによって被監視装置の稼動状況を管理する。
【０００３】
一般に、オペレーション装置は、被監視装置に所定の周期で通信回線を介してヘルスチェック信号を送出する。被監視装置は、このヘルスチェック信号が正常に受信できた場合、オペレーション装置に対してヘルスチェック信号を返信する。オペレーション装置はこのヘルスチェック信号を受信することにより、被監視装置が監視可能な状態であるかどうかを常時確認している。
【０００４】
被監視装置の装置情報の収集方法としては、被監視装置が装置情報をデータファイル化し、これをオペレーション装置へＦＴＰ等によりファイル転送することにより行われる。また、特開平１０−１２６８４４号公報に開示された例では、メッセージにより装置情報をオペレーション装置へ転送している。いずれの方法も、例えば５分間や１時間というような所定の単位時間における装置情報を一括して転送するようにしている。
【０００５】
【発明が解決しようとする課題】
しかしながら、上記従来の被監視装置は５分間や１時間等の単位時間内で収集した装置情報を蓄積するので、もし被監視装置がシステムダウンした場合には、オペレーション装置はシステムダウンしている間だけでなく、システムダウン時間を含む単位時間内の装置情報を取得できず、情報の欠落を生ずるという問題がある。
【０００６】
また、被監視装置で装置情報を蓄積する際に何らかの不具合が発生した場合も、オペレーション装置は単位時間内に含む装置情報を取得できないという重大な問題を有している。
【０００７】
本発明は上記事情に鑑みてなされたものであり、オペレーション装置において被監視装置の装置情報を定常的に取得することができる遠隔監視制御システム、被監視装置、監視装置、及び装置情報のデータ収集方法を提供することを目的とする。
【０００８】
また、被監視装置の装置情報の欠落を防ぐことができる遠隔監視制御システム、被監視装置、監視装置、及び装置情報のデータ収集方法を提供することを目的とする。
【０００９】
【課題を解決するための手段】
本発明によれば、監視装置、および通信回線を介して前記監視装置と接続された被監視装置を備えた遠隔監視制御システムであって、前記被監視装置は、前記被監視装置の装置情報を収集する収集手段と、前記監視装置から送信される第１情報を受信する受信手段と、前記第１情報および前記装置情報を有する第２情報を前記監視装置に送信する送信手段と、を有し、前記監視装置は、前記第１情報を送信する送信手段と、前記第２情報を受信する受信手段と、前記第２情報から前記装置情報を抽出する抽出手段とを有することを特徴とする遠隔監視制御システムが与えられている。
【００１０】
また本発明によれば、通信回線を介して監視装置に接続され、前記監視装置により監視される被監視装置であって、装置情報を収集する収集手段と、  監視装置から第１情報を受信する受信手段と、  前記第１情報と前記装置情報を有する第２情報を前記監視装置に送信する送信手段とを有することを特徴とする被監視装置が与えられている。
【００１１】
また、本発明によれば、通信回線を介して被監視装置に接続され、前記監視装置を監視する監視装置であって、前記被監視装置に第１情報を送信する送信手段と、前記第１情報および前記被監視装置の装置情報を有する第２情報を前記被監視装置から受信する受信手段と、前記第２情報から前記装置情報を抽出する抽出手段とを有することを特徴とする監視装置が与えられている。
【００１２】
また、本発明によれば、監視装置、および通信回線を介して前記監視装置と接続された被監視装置を備えた遠隔監視制御システムにおける装置情報のデータ収集方法であって、前記監視装置から前記被監視装置に第１情報を送信し、前記第１情報および前記被監視装置の装置情報を有する第２情報を前記監視装置から前記被監視装置に送信し、前記監視装置により前記第２情報を受信し、受信した前記第２情報から前記装置情報を抽出することを特徴とする装置情報のデータ収集方法が与えられている。
【００１３】
上記遠隔監視制御システム、監視装置、被監視装置、及び装置情報補データ収集方法によれば、被監視装置は取得した装置情報を分割し、装置情報を第１情報に付加して監視装置に送信する。従って、監視装置は第１情報と共に装置情報を取得することができ、情報の欠落を抑えるとともに装置間の正常性を確認することが可能となる。
【００１４】
さらに、本発明によれば、前記監視装置の前記送信手段は、所定間隔毎に前記第１情報を送信する。また、前記被監視装置の前記送信手段は、前記第１情報を受信する毎に前記第２情報を前記監視装置に送信する。これにより、所定間隔毎に、被監視装置が正常に動作していることを確認し、かつ装置情報を獲得することが可能になる。
【００１５】
さらに、本発明によれば、前記被監視装置の前記収集手段は、前記被監視装置から収集したオリジナル装置情報を複数に分割して前記装置情報とし、前記監視装置は、前記装置情報を元に前記オリジナル装置情報を復元する情報処理手段を有している。
上記構成によれば、オリジナル装置情報は分割されて送信されるため、定常的に装置情報を監視装置に送信することが可能となる。また、一度に大量のデータ送信を行わないため、通信トラフィックが低減される。
【００１６】
さらに、本発明によれば、前記被監視手段の前記収集手段は、前記監視装置からの指示に従い、前記装置情報を作成する。
これにより、収集する必要がないデータの送信を省くことが可能となり、状況に応じたデータ収集が可能となる。さらに、無駄なデータ送信を省くことにより、通信トラフィックが低減される。
【００１７】
さらに、本発明によれば、前記監視装置の前記受信手段が、前記第２情報を正常に受信できなかった場合、前記監視装置は、前記被監視装置に前記第２情報の再送要求を送信する。
上記構成によれば、異常時において欠落した装置情報の再送要求を被監視装置に行い、装置情報の欠落を抑えることが可能となる。
【００１８】
前記監視装置の前記受信手段が、前記第２情報を正常に受信できなかった場合、前記監視装置の前記送信手段は、前記第２情報の再送要求および前記第１情報を有する第３情報を前記被監視装置に送信する。
上記構成によれば、異常時において欠落した装置情報の再送要求処理が簡略化される。
【００１９】
前記被監視装置の前記送信手段は、前記第２情報を断続的に送信し、前記監視装置の前記受信手段が、前記第２情報を正常に受信できなかった場合、前記被監視装置の前記送信手段は、断続的に送信される前記第２情報の送信タイムラグ間に、前記正常に受信できなかった前記第２情報を前記監視装置に送信する。
上記構成によれば、通常の通信を妨げることなく再送要求を送信し、装置情報を欠落を防止することが可能となる。
【００２０】
さらに、本発明によれば、前記監視装置の前記送信手段は、第１の送信路または第２の送信路を介して前記第１情報を前記被監視装置に送信し、前記被監視装置の前記送信手段は、第３の送信路または第４の送信路を介して前記第２情報を前記監視装置に送信する。
上記構成によれば、複数の送信路を介して情報の送受信が可能となり、データ通信の信頼性が向上する。
【００２１】
さらに、本発明によれば、前記被監視装置の前記受信手段が、前記第１の送信路を介して前記第１情報を受信できなかった場合、前記監視装置の前記送信手段は、前記第２の送信路を介して前記第１情報を前記被監視装置に再送する。
また同様に、本発明によれば、前記監視装置の前記受信手段が、前記第３の送信路を介して前記被監視手段から前記第２情報を受信できなかった場合、前記被監視装置の前記送信手段は、前記第４の送信路を介して前記第２情報を前記監視装置に再送する。
上記構成によれば、通信回線の一時的な不通等により一つヘルスチェック経路において装置情報が欠落した場合においても、他のヘルスチェック経路により装置情報の取得が可能となる。
【００２２】
さらに、本発明によれば、前記監視装置の前記送信手段は、前記第１の送信路を介して前記第１情報を前記被監視装置に送信し、前記第２の送信路を介して前記第１情報と同一の情報を前記被監視装置に送信する。
また同様に、本発明によれば、前記被監視装置の前記送信手段は、前記第３の送信路を介して前記第２情報を前記監視装置に送信し、前記第４の送信路を介して前記第２情報と同一の情報を前記監視装置に送信することを特徴とする。
上記構成によれば、同一の情報を二つの経路を用いて同時に送信するため、通信の信頼性が向上する。
【００２３】
さらに、本発明によれば、前記被監視装置の前記送信手段は、前記第１の送信路および第２の送信路のうち前記監視装置により指示された送信路を介して前記第２情報を送信する。
さらに、本発明によれば、前記装置情報は、複数の装置情報を含み、
前記被監視装置の前記送信手段は、前記監視装置から指示された前記装置情報のみを前記監視装置へ送信する。
上記構成によれば、装置情報は適宜選択されたヘルスチェック経路を経由してオペレーション装置に送信されるので、通信回線の状況に応じた送受信が可能となる。
【００２４】
【発明の実施の形態】
以下、本発明に係る被監視装置、オペレーション装置、及び遠隔監視制御システムの実施形態について、図面を参照して説明する。
【００２５】
（第１実施形態）
以下、本発明の第１実施形態について図１〜５を参照しながら説明する。図１は、本発明の第１実施形態に係る遠隔監視制御システムの構成を示すブロック図である。
【００２６】
同図において、本遠隔監視制御システムは、被監視装置１０と、被監視装置１０に通信回線３１，３２，３３を介して接続され、被監視装置１０を監視する監視装置としてのオペレーション装置２０とから構成される。無線システムにおいて、オペレーション装置２０は、管理センタに、そして被監視装置１０は、無線基地局、無線制御局等にそれぞれ相当する。
【００２７】
まず、被監視装置１０について説明する。
被監視装置１０は、装置内部で監視の対象となる被監視部１１〜１３と、装置情報収集部１４と、ヘルスチェック受信部１５と、ヘルスチェック送信部１６と、制御処理部１７と、を有している。
【００２８】
装置情報収集部１４は、被監視部１１〜１３から自装置の運用状況、障害情報、トラヒック情報等の各種情報を取得する。装置情報収集部１４は、取得した１分間当たりの装置情報を適当な分割単位で複数個に分割し、それぞれに番号を付与し保存している。装置情報収集部１４は、分割された装置情報を順次ヘルスチェック送信部１６へ出力する。
【００２９】
ヘルスチェック受信部１５は、オペレーション装置２０から通信回線３１を介してヘルスチェックＡ信号４０を受信する受信ユニットである。
【００３０】
ここで、ヘルスチェックＡ信号４０について説明する。ヘルスチェックＡ信号４０は、オペレーション装置２０が被監視装置１０に所定間隔で定期的に（例えば、６秒おきに）送信する信号である。被監視装置１０は、オペレーション装置２０からヘルスチェックＡ信号４０を受信すると、ヘルスチェックＢ信号５０をオペレーション装置２０に送信する。オペレーション装置２０は、被監視装置１０からヘルスチェックＢ信号を受信することにより、被監視装置が監視可能な状態であると判断することができる。
【００３１】
図２は、ヘルスチェックＡ信号４０の構成を示す図である。ヘルスチェックＡ信号４０は、ヘッダ４１、ヘルスチェック要素４２から構成されている。ヘルスチェック要素４２は、本信号がヘルスチェック信号であることを示すヘルスチェック表示４３、およびオペレーション装置２０のヘルスチェック送信部２１からの送信順序を示すヘルスチェック番号４４から構成されている。
【００３２】
ヘルスチェック受信部１５は、ヘルスチェック表示４３を読みとり、受信信号がヘルスチェック信号であると認識する。ヘルスチェック受信部１５は、受信した信号がヘルスチェック信号である場合、ヘルスチェックＡ信号４０を受信する毎に、ヘルスチェックＡ信号４０をヘルスチェック送信部１６へ出力する。ヘルスチェック受信部１５は、受信した信号がヘルスチェック信号でない場合、ヘルスチェック信号受信待機状態となる。
【００３３】
ヘルスチェック送信部１６は、ヘルスチェック受信部１５からヘルスチェックＡ信号４０を受信する毎に、複数個に分割された装置情報の１個を装置情報収集部１５から受け取る。そして、ヘルスチェック送信部１６は、受け取った装置情報をヘルスチェックＡ信号４０に付加し、ヘルスチェックＢ信号５０を生成する。
【００３４】
図３は、ヘルスチェックＢ信号５０の構成を示す図である。ヘルスチェックＢ信号５０は、ヘッダ５１、ヘルスチェック要素５２、装置情報５５から構成される。また、ヘルスチェック要素５２は、ヘルスチェック表示５３、ヘルスチェック番号５４から構成されている。先述したように、ヘルスチェックＢ信号５０は、ヘルスチェックＡ信号４０に装置情報を加えたものであり、その他の構造はヘルスチェックＡ信号４０と同一である。
【００３５】
１分間当たりのオリジナル装置情報のデータサイズが１００バイト、ヘルスチェック信号の発生間隔が６秒と仮定する。この場合、一つのヘルスチェックＡ信号に付加される装置情報５５のデータサイズは、１００÷６０×６＝１０（バイト）となり、１分間当たりの装置情報データは１０個のヘルスチェックＢ信号によって構成されることになる。ヘルスチェック送信部１６は、通信回線３２を介してこのヘルスチェックＢ信号５０をオペレーション装置２０に送信する。
【００３６】
ここで、装置情報の付加時、ヘルスチェック送信部１６は、ヘルスチェックA信号４０のヘルスチェック番号４４を確認する。受信したヘルスチェックＡ信号４０のヘルスチェック番号４４が、一つ前に受信したヘルスチェックＡ信号４０が有するヘルスチェック番号４４の次の番号であった場合には、先に付加した装置情報の次の番号を有する装置情報をヘルスチェックＢ信号４０に付加し、ヘルスチェックＢ信号５０とする。一方、受信したヘルスチェックＡ信号４０のヘルスチェック番号４４が、一つ前に受信したヘルスチェックＡ信号４０が有するヘルスチェック番号のＮ（Ｎ：自然数）個先の番号であった場合、ヘルスチェック送信部１６は、先に付加した装置情報のＮ個先の番号を有する装置情報をヘルスチェックＡ信号４０に付加し、ヘルスチェックＢ信号５０とする。
【００３７】
制御処理部１７は、オペレーション装置２０から制御指示を受け取り、制御指示に従って、被監視装置１０内の各部を制御する。オペレーション装置２０からの指示には、ヘルスチェックＢ信号の再送要求、ヘルスチェックＢ信号を送信する送信経路の指定等が含まれる。
【００３８】
次に、オペレーション装置２０について説明する。
オペレーション装置２０は、ヘルスチェック送信部２１と、ヘルスチェック受信部２２と、装置情報抽出部２３と、情報処理部２４と、表示部２５と、制御部２６と、を有している。
【００３９】
ヘルスチェック送信部２１は、所定の時間間隔で定期的にヘルスチェックＡ信号４０を通信回線３１を介して被監視装置１０へ送信する。ヘルスチェックＡ信号４０は、例えば６秒間隔で、被監視装置１０へ送信される。この送信間隔は、遠隔監視制御システムの特性または必要性に応じて、適宜選択すればよい。
ヘルスチェック送信部２１は、一つ前に送信したヘルスチェックＡ信号４０のヘルスチェック番号４４を記憶している。そして、次に送信するヘルスチェックＡ信号４０には、一つ前のヘルスチェック番号４４に１を加えたものを送信する。
【００４０】
ヘルスチェック受信部２２は、被監視装置１０から通信回線３２を介して送信されたヘルスチェックＢ信号５０を受信する。ヘルスチェック受信部２２は、この受信したヘルスチェックＢ信号５０のヘルスチェック番号５４を確認する。受信したヘルスチェック信号５０が有するヘルスチェック番号５４が、一つ前に受信したヘルスチェック信号５０が有するヘルスチェック番号５４の次の番号であった場合には、ヘルスチェック受信部２２は、正常に送受信が行われたと判断する。そして、ヘルスチェック受信部２２は、この受信したヘルスチェックＢ信号５０を装置情報抽出部２３へ出力する。
【００４１】
一方、受信したヘルスチェックＢ信号５０のヘルスチェック番号５４が、一つ前に受信したヘルスチェック信号５０が有するヘルスチェック番号５４の次の番号で無かった場合、例えば一つ前に受信したヘルスチェック信号５０が有するヘルスチェック番号５４の２つ先の番号であった場合、ヘルスチェック受信部２２は、受信すべき信号が送受信の過程において欠落したと判断する。この場合、ヘルスチェック受信部２２は、制御部２６にヘルスチェック信号５０が欠落した旨および欠落したヘルスチェックＢ信号５０のヘルスチェック番号５４を通知する。
【００４２】
装置情報抽出部２３は、ヘルスチェック受信部２２が出力したヘルスチェックＢ信号５０から被監視装置１０の装置情報を抽出する。装置情報抽出部２３は、抽出した装置情報を情報処理部２４へ出力する。
【００４３】
情報処理部２４は、装置情報抽出部２３から出力された装置情報を蓄積する。そして、所定個数の分割された装置情報を一つにまとめて復元し、有意データに再構成する。情報処理部２４は、復元した装置情報を表示部２５へ出力する。表示部２５は、被監視装置１０で取得した装置情報をモニタ表示する。
【００４４】
制御部２６は、オペレーション装置２０の各部を統合制御する。また、制御部２６は、通信回線３３を介して接続された被監視装置１０の制御処理部３３に接続されており、被監視装置１０に収集すべき装置情報の項目を通知する。
【００４５】
さらに、制御部２６は、ヘルスチェック受信部２２からヘルスチェックＢ信号５０の欠落および欠落したヘルスチェックＢ信号５０のヘルスチェック番号５４を通知された場合、被監視装置１０にヘルスチェック信号の再送要求を行うための要求信号を生成する。制御部２６は、生成した要求信号を通信回線３３を介して被監視装置１０の制御処理部１７に送信する。同時に、制御部２６は、装置情報抽出部２３に被監視装置１０に送信した再送要求を同報送信し、再送要求が為されたことを通知する。
【００４６】
次に、本遠隔監視制御システムにおける遠隔監視および装置情報収集動作について図４〜図６を参照しながら説明する。
【００４７】
図４は、本実施形態の遠隔監視制御システムにおける処理を示すフローチャートである。まず、オペレーション装置２０のヘルスチェック送信部２１は、ヘルスチェックＡ信号４０を通信回線３１を介して被監視装置１０に送信する（ステップＳ１０１）。被監視装置１０のヘルスチェック受信部１５は、受信したヘルスチェックＡ信号４０のヘルスチェック要素４２中のヘルスチェック表示４３を確認する（ステップＳ１０２）。そして、ヘルスチェック表示４３がヘルスチェック信号を示している場合、ヘルスチェック受信部１５は、正常に受信が完了したと判断し、ヘルスチェックＡ信号４０をヘルスチェック送信部１６に転送する。
【００４８】
ヘルスチェック送信部１６は、ヘルスチェック受信部１５から転送されたヘルスチェックＡ信号４０に、装置情報収集部１４から送られた装置情報を付加し、ヘルスチェックＡ信号４０と装置情報とから構成されるヘルスチェックＢ信号を作成する（ステップＳ１０３）。そして、ヘルスチェック送信部１６は、ヘルスチェックＢ信号をオペレーション装置２０に送信する（ステップＳ１０４）。
【００４９】
オペレーション装置２０は、ヘルスチェックＢ信号をヘルスチェック受信部２２にて受信する。ヘルスチェック受信部２２は、ヘルスチェック表示５３を確認し、受信した信号が適切なヘルスチェック信号であるかどうか認識する（ステップＳ１０５）。ヘルスチェック受信部２２は、ヘルスチェック表示４３がヘルスチェック信号を示しており、かつヘルスチェック番号４４が先に受信したヘルスチェック番号の次の信号を示すものであれば、正常に受信が終了したと判断する。この場合、ヘルスチェック受信部２２は、受信したヘルスチェックＢ信号５０を装置情報抽出部２３に転送する。
【００５０】
装置情報抽出部２３は、ヘルスチェックＢ信号５０から装置情報５５を抽出し、情報処理部２４に出力する（ステップＳ１０６）。情報処理部２４は、装置情報抽出部２３から送られる装置情報を蓄積し、複数個のヘルスチェックＢ信号５０から１分間当たりの装置情報を示す有意データに再構成する（ステップＳ１０７）。そして、再構成された装置情報は、表示部２５に送られ画面表示される（ステップＳ１０８）。以上により、オペレーション装置２０は、被監視装置１０から装置情報を取得し、取得した装置情報の表示を行う。
【００５１】
次に、オペレーション装置２０のヘルスチェック受信部２２が、受信すべきヘルスチェックＢ信号５０を受信できなかった場合のヘルスチェックＢ信号の再送処理を説明する。図５は、本実施形態の再送処理を示すフローチャートである。
【００５２】
ステップＳ１０５にて、ヘルスチェック受信部２２は、受信したヘルスチェックＢ信号５０のヘルスチェック番号５４が、先に受信した信号に1を加えたものではない場合、失われたヘルスチェック番号５４を有するヘルスチェック信号５０が欠落したと判断する。
【００５３】
この場合、ヘルスチェック受信部２２は、制御部２６に、該当するヘルスチェック信号５０が欠落した旨を通知する（ステップＳ１１１）。そして、制御部２６は、ヘルスチェック受信部２２からの通知に従い、欠落したヘルスチェックＢ信号５０の再送を被監視装置１０の制御処理部１７へ要求する（Ｓ１１２）。
【００５４】
制御処理部１７は、要求に従い、欠落したヘルスチェックＢ信号５０のヘルスチェック番号５４に対応する装置情報をヘルスチェック送信部１６に出力するよう装置情報収集部１４を制御する。これにより、ヘルスチェック送信部１６は、装置情報収集部１４から出力された装置情報をヘルスチェック信号に付加してヘルスチェックＢ信号とし、オペレーション装置２０にヘルスチェックＢ信号を送信する。これにより、オペレーション装置への装置情報の再送が完了する。
【００５５】
以上説明した本実施形態の構成によれば、オペレーション装置２０は、被監視装置１０との間で定常的にやりとりするヘルスチェック信号を利用して、被監視装置１０の装置情報を取得することができる。従って、装置情報の取得に当たり、装置情報の欠落を最小限に留めることができる。
【００５６】
また、ヘルスチェック信号を構成するヘルスチェック番号のデータによって欠落した装置情報を認識することができる。従って、欠落したヘルスチェック番号に基づいて装置情報の再送を行うことが可能となる。よって、従来は被監視装置の正常性を確認するためにのみ用いられていたヘルスチェック信号を有効活用することができる。
【００５７】
なお、本実施形態において、被監視装置１０は１つだけ示されているが、１つのオペレーション装置２０に複数の被監視装置１０を接続してもよい。また、通信回線３１〜３３は、図示のように必ずしも物理的に３回線に分割されている必要はなく、信号多重分割装置等を用いて単独の回線により構成されていてもよい。
【００５８】
なお、オペレーション装置２０のヘルスチェック受信部２２が、受信すべきヘルスチェックＢ信号５０を受信できなかった場合、以下の変形例のようにして再送処理を行ってもよい。
【００５９】
（第１実施形態の変形例）
以下、第１実施形態の変形例について図６，７を参照しながら、説明する。
図６は、本変形例で用いられるヘルスチェックＣ信号６０の構成を示す図である。本変形例で用いられるヘルスチェックＣ信号６０は、被監視装置１０に対して欠落した装置情報の再送要求を可能にするヘルスチェック信号である。ヘルスチェックＣ信号６０は、ヘッダ６１、ヘルスチェック要素６２から構成される。ヘルスチェック要素６２は、ヘルスチェック表示６３、ヘルスチェック番号６４、再送フラグ６５、そして再送番号６６から構成されている。再送フラグ６５は、再送要求の有無を示すフラグであり、再送要求がない通常の場合、“０”（再送要求無し）、再送要求がある場合、“１”（再送要求有り）とされる。再送番号６６は、再送すべきヘルスチェック信号の番号を示す。
【００６０】
図７は、本変形例の再送処理の変形例を示すフローチャートである。
ステップＳ１０５にて、ヘルスチェック受信部２２は、受信したヘルスチェックＢ信号５０のヘルスチェック番号５４が、先に受信した信号に1を加えたものではない場合、失われたヘルスチェック番号５４を有するヘルスチェック信号５０が欠落したと判断する。
【００６１】
この場合、ヘルスチェック受信部２２は、ヘルスチェック送信部２１に、該当するヘルスチェック信号５０が欠落した旨を通知する。そして、ヘルスチェック送信部２１は、ヘルスチェック受信部２２からの通知に従い、再送フラグ６５を“１”とし、再送番号６６に再送すべきヘルスチェック信号のヘルスチェック番号を記したヘルスチェックＣ信号６０を作成する（ステップＳ１２１）。そしてヘルスチェック送信部２１は、このヘルスチェックＣ信号６０を、断続的に送信されるヘルスチェック信号の送信タイムラグの間に、通信回線３１を介して被監視装置１０に送信する。（ステップＳ１２２）。
【００６２】
被監視装置１０のヘルスチェック受信部１５は、ヘルスチェックＣ信号６０を受信し、その内容を確認する（ステップＳ１２３）。ヘルスチェック受信部１５は、ヘルスチェックＣ信号６０の再送フラグ６５が“１”であることを確認すると、装置情報収集部に１４に再送番号６６に対応する装置情報をヘルスチェック送信部１６に出力するよう指示する。そして、ヘルスチェック送信部１６は、受信したヘルスチェックＣ信号６０に再送すべき装置情報を付加し（ステップＳ１２４）、ヘルスチェックＣ信号６０をオペレーション装置２０に送信する。これにより、オペレーション装置への装置情報の再送が完了する。
【００６３】
本変形例によれば、ヘルスチェック送信部２１から再送要求を含むヘルスチェック信号を被監視装置１０に送信することで、再送要求が為される。従って、制御部２６に負荷をかけることなく、再送要求を実施することが可能となる。よって、通信回線３３の負荷を減らすことが可能となり、効率よくオペレーション装置２０の制御部２６から被監視装置１０の制御処理部１７に他の指示を送信することが可能となる。
【００６４】
（第２実施形態）
図８は、本発明の第２実施形態に係るオペレーション装置と被監視装置、及びそのシステム構成を示すブロック図である。なお、図１と共通する構成要素には、同一の符号を付して説明を省略する。
【００６５】
同図において被監視装置７０は、図１に示した被監視装置１０に、ヘルスチェック受信部７５とヘルスチェック送信部７６を付加して構成される。また、オペレーション装置８０は、同様に、ヘルスチェック送信部８１とヘルスチェック受信部８２を付加して構成される。
【００６６】
そして、被監視装置７０とオペレーション装置８０の対向するヘルスチェック受信部１５とヘルスチェック送信部２１、ヘルスチェック送信部１６とヘルスチェック受信部２２は、それぞれ通信回線３１、３２で結ばれてヘルスチェック経路１を構成する。同様に、ヘルスチェック受信部７５とヘルスチェック送信部８１、ヘルスチェック送信部７６とヘルスチェック受信部８２がそれぞれ通信回線９１、９２で結ばれてヘルスチェック経路２を構成する。さらに、被監視装置７０の制御処理部１７とオペレーション装置８０の制御部２６は、通信回線３３で結ばれ、全体として遠隔監視制御システムを構成する。
【００６７】
次に、以上のように構成された本発明の第２実施形態に係る被監視装置７０、オペレーション装置８０、及び遠隔監視制御システムの動作について説明する。
【００６８】
定常状態において、オペレーション装置８０のヘルスチェック送信部２１、８１のそれぞれから、図２に示したようなヘルスチェックＡ信号４０が被監視装置７０に通信回線３１、９１を介して送られる。
【００６９】
被監視装置７０のヘルスチェック受信部１５、７５は、ヘルスチェックＡ信号４０を受信すると、これをヘルスチェック送信部１６、７６へそれぞれ通知する。装置情報収集部１４は、監視部１１〜１３において取得した装置情報を適当な単位に分割してヘルスチェック送信部１６、７６に出力する。ヘルスチェック送信部１６、７６は受信したヘルスチェックＡ信号４０に装置情報を付加してヘルスチェックＢ信号５０を生成し、それぞれに接続された通信回線３２、９２を介してオペレーション装置８０に送信する。
【００７０】
オペレーション装置８０のヘルスチェック受信部２２、８２は、ヘルスチェックＢ信号５０を受信してそれぞれに装置情報抽出部２３へ出力する。装置情報抽出部２３は、定常状態においてヘルスチェック受信部２２、８２から出力される装置情報のうち、ヘルスチェック経路１であるヘルスチェック受信部２２からの装置情報を選択して抽出する。しかし、通信回線３２に障害等があってヘルスチェック経路１の装置情報が欠落した場合は、ヘルスチェック経路２の装置情報を選択して抽出する。これにより、オペレーション装置８０の制御部２６から通信回線３３を介して被監視装置７０の制御処理部１７にヘルスチェックＢ信号の再送要求を出す必要がなくなり、被監視装置７０のヘルスチェック送信部１６及びオペレーション装置８０のヘルスチェック受信部２２における処理を簡略化することができる。
【００７１】
また、定常状態において、ヘルスチェック経路１のみを使用してヘルスチェック信号の送受信を行い、ヘルスチェック経路１の装置情報が欠落した場合にのみヘルスチェック経路２を用いて、欠落したヘルスチェック信号の再送を行う構成とすることも可能である。この場合、定常状態ではヘルスチェック経路２を使用しないので、通信回線の通信量を低減することができる。
【００７２】
さらに、被監視装置７０の装置情報の項目毎にヘルスチェック経路１、ヘルスチェック経路２のどちらを使用するかを、オペレーション装置８０の制御部２６によって選択制御することにより、装置情報を経路１、経路２に分散して送信する構成も可能である。この場合、ヘルスチェック経路１、ヘルスチェック経路２の通信量を調整することができるので、通信回線を有効に利用することができる。
【００７３】
以上説明した本実施形態の構成によれば、被監視装置７０とオペレーション装置８０との間でヘルスチェック信号の送受信経路を２系統有することにより、一方の系統に障害が起きた場合においても、オペレーション装置８０は他方の系統により被監視装置７０の装置情報を取得することが可能となり、装置情報の欠落を防止することができる。
【００７４】
また、被監視装置７０の装置情報をオペレーション装置８０に送る系統を選択したり、２系統に分散したりすることにより、通信回線の有効利用と通信量の低減が可能となる。
【００７５】
なお、本実施形態では、被監視装置７０とオペレーション装置８０の対向するヘルスチェック受信部及びヘルスチェック送信部との間で構成されるヘルスチェック経路を２系統としているが、複数であればこれに限らない。また、被監視装置７０は１つだけ示しているが、実際には１つのオペレーション装置８０に対して、複数の被監視装置７０を接続してもよく、それぞれの被監視装置７０とオペレーション装置８０の間で同様な構成が可能である。また、通信回線３１〜３３、９１、９２は必ずしも図示のように物理的に５回線に分割されている必要はなく、信号多重分割装置等を用いて単独の回線により構成してもよい。
【００７６】
【発明の効果】
以上説明したように本発明によれば、オペレーション装置と被監視装置の間で定常的に交わされるヘルスチェック信号に、装置情報を分割して付加することにより、リアルタイムに装置情報を取得することが可能となる。
【００７７】
また、ヘルスチェック信号の送受信において、障害が生じた際、装置情報の再送を行うことにより、被監視装置の装置情報の欠落を防ぐことができる。
【００７８】
さらに、ヘルスチェック信号の送受信系統を複数設けることにより、被監視装置の装置情報の欠落を防ぐとともに、通信回線のトラヒックを低減することができる。
【図面の簡単な説明】
【図１】本発明の第１実施形態に係るオペレーション装置、被監視装置、及びそのシステム構成を示すブロック図である。
【図２】本発明の第１実施形態に係るヘルスチェックＡ信号のデータ構造を示す図
【図３】本発明の第１実施形態に係るヘルスチェックＢ信号のデータ構造を示す図
【図４】遠隔監視制御システムにおける処理を示すフローチャート
【図５】本発明の第１実施形態に係るヘルスチェック信号の再送処理を示すフローチャート
【図６】本発明の第１実施形態の変形例に係るヘルスチェックＣ信号のデータ構成を示す図
【図７】本発明の第１実施形態の変形例に係るヘルスチェック信号の再送処理を示すフローチャート
【図８】本発明の第２実施形態に係るオペレーション装置、被監視装置、及びそのシステム構成を示すブロック図である。
【符号の説明】
１０、７０  被監視装置
１１〜１３  被監視部
１４  装置情報収集部
１５、２２、７５、８２  ヘルスチェック受信部
１６、２１、７６、８１  ヘルスチェック送信部
１７  制御処理部
２０  オペレーション装置
２３  装置情報抽出部
２４  情報処理部
２５  表示部
２６  制御部
３１〜３３、９１、９２  通信回線
４０  ヘルスチェックＡ信号
５０  ヘルスチェックＢ信号
６０  ヘルスチェックＣ信号
【図１】
2004208235.tif 000003
【図２】
2004208235.tif 000004
【図３】
2004208235.tif 000005
【図４】
2004208235.tif 000006
【図５】
2004208235.tif 000007
【図６】
2004208235.tif 000008
【図７】
2004208235.tif 000009
【図８】
2004208235.tif 000010